(57)【特許請求の範囲】
【請求項１】
放送予定の番組に関し、該番組を表す文字列と番組情報を表す文字列とを表示する番組セルからなる番組表を作成し、該番組表を表示する電子番組ガイド表示装置であって、
上記番組セルの大きさ及び描画位置を算出するセル位置算出部と、
該セル位置算出部によって求められる番組セルの大きさ及び描画位置より番組表を描画する番組表示部と、前記番組表に関する日付を表す文字列を表示し、現在、表示された番組表の日付を他の日付とは異ならせて日付セルを描画する日付セル描画部と、
上記番組セルを指定するカーソルを移動させる入力を行う入力キー群と、
該入力キー群で選択されたカーソルを決定する入力を行う決定キーと、
上記入力キー群からの入力に従って、番組表上におけるカーソル位置を変更するカーソル処理部と、
番組表上におけるカーソルで指定された番組セルをカレントセルと判定するカレントセル判定部とを備え、
前記カレントセル判定部の信号にしたがって、カレントを示す上記番組セルの描画位置を前記セル位置検出部で算出し、
前記セル位置検出部からの信号にしたがって、カレントを示す上記番組セルを他の番組セルとは異ならせて前記番組表示部で表示することを特徴とする電子番組ガイド表示装置。
【請求項２】
請求項１記載の電子番組ガイド表示装置において、
上記番組表データ選択部は、カレントセルが日付セル上に存在するときに、上記決定キーの入力があったならば、上記番組表データ格納部から上記決定キーの入力があった日付セルに対応する番組情報を取り出し、
上記番組表描画部は、上記番組表データ選択部より新たに取り出した番組情報に基づいて番組表を再描画する、
ことを特徴とする電子番組ガイド表示装置。
【請求項３】
請求項１記載の電子番組ガイド表示装置において、
上記入力キー群は、上、下、左、右の各々の方向へカーソル移動を行う４個のキーを含む、
ことを特徴とする電子番組ガイド表示装置。
【請求項４】
請求項１記載の電子番組ガイド表示装置において、
上記番組セルは、番組を放送する放送局を示すチャンネル番号の順番に表示を行い、
上記日付セルは、上記チャンネル番号のうちチャンネル番号が最も小さい番組に対応する番組セルに隣接して表示を行う、あるいは上記チャンネル番号のうちチャンネル番号が最も大きい番組に対応する番組セルに隣接して表示を行う、
ことを特徴とする電子番組ガイド表示装置。
【請求項５】
請求項１記載の電子番組ガイド表示装置において、
上記番組セルは、番組を放送する放送時刻の順番に表示を行い、
上記日付セルは、上記放送時刻のうち最も早い時刻に放送される番組に対応する番組セルに隣接して表示を行う、あるいは上記放送時刻のうち最も遅い時刻に放送される番組に対応する番組セルに隣接して表示を行う、
ことを特徴とする電子番組ガイド表示装置。
【請求項６】
請求項１記載の電子情報番組ガイド表示装置において、
該番組情報及び該番組情報とは対になる日付データを格納する番組表データ格納部と、
上記日付データに対応する番組セルが上記番組表データ格納部に存在するか否かを確認するデータ確認部と、
前記データ確認部の出力に従って、日付データが存在しない場合、他の日付番組セルとは異ならせて前記番組表示部で表示することを特徴とする電子番組ガイド表示装置。
【発明の詳細な説明】
【０００１】
【発明の属する技術分野】
本発明は、電子番組ガイド表示装置に関し、特に放送予定の番組を表す文字列を表示した番組セルからなる番組表を作成し、表示する電子番組ガイド表示装置に関するものである。
【０００２】
【従来の技術】
近年、ディジタル放送の普及により、多くの情報が送信できるようになったことにともない、番組の多チャンネル化が進んでいる。そこで、画面上に番組表を表示するシステムである電子番組ガイド（ＥＰＧ：Ｅｌｅｃｔｒｏｎｉｃ  Ｐｒｏｇｒａｍ  Ｇｕｉｄｅ）の必要性が高まっている。一般的な電子番組ガイドの番組情報は、ケーブルテレビジョン放送局から回線によって、あるいは放送衛星から電波によって放送番組とともに送られる。番組情報を受信する受信機は、受信した番組情報を記憶装置に記憶し、ある一定期間に放送される番組に関する情報がすべて受信されたところで、番組表を作成し表示装置に表示する。なお、番組情報は上述した放送信号から得る以外にも、インターネットなどのネットワークから獲得したり、あるいはＣＤ−ＲＯＭなどの記憶媒体から獲得することも可能である。さらに、このような電子番組ガイドは、各番組ごとにその番組の属するカテゴリー（例えばクイズ番組、バラエティー番組、時代劇番組など）をあらかじめ割り当てておくことにより、利用者が望むカテゴリーに属する番組のみを検索し、表示することも可能である。このように電子番組ガイドは、多チャンネル化による番組数の増大にともなって、受信機の操作性の向上を図るうえで最も有効な手段である。上述した電子番組ガイド表示装置として、例えば特開平１−２０９３９９号及び特開平１−３０７９４４号に開示された装置がある。
【０００３】
図９は従来の電子番組ガイドの表示例を示す図である。
図９より、横軸は時刻、縦軸は各番組を放送する放送局を示すチャンネル番号であり、２次元画面上に１つの番組に相当する矩形の範囲（以下番組セルと称する）を設け、各番組セルには番組タイトルを記述している。視聴者はリモートコントローラなどに設けられた操作スイッチ（図示せず）を用いて、この番組表を見たい方向へスクロールさせて閲覧することができる。また、視聴したい番組を選択するには、各番組セルの入力位置を示すカーソルを設け、カーソル位置を操作スイッチによって移動させて番組セルを選ぶようにする。また選択した番組は録画するように予約設定することも可能である。なお、図９に示した番組表は横軸に時刻、縦軸にチャンネル番号を表示するものとしたが、横軸にチャンネル番号、縦軸に時刻を表示するようにしてもよい。
【０００４】
この図９において、番組表を構成する時刻及びチャンネル番号を２次元画面上に表示させる場合、さらに表示させたい日付に対応する番組表の設定を何らかの操作で行う必要がある。次に日付を切り替える方法について述べる。日付の設定を行う第１の方法として、例えばある日の番組表が表示されているところで、その番組表を時刻が増加する方向（図９であれば右方向へ）にスクロールさせて、その日の深夜の番組表を表示し、さらに同じ方向へスクロールさせて翌日の早朝の番組表を表示する方法がある。また、日付の設定を行う第２の方法として、リモートコントローラに日付を設定する日付設定コマンドを備えて、数日後の番組表を一度にスクロールさせる方法もある。
【０００５】
また、上記特開平１−２０９３９９号及び特開平１−３０７９４４号に開示された技術によれば、番組表のスクロールを行うためのコマンドを入力する手段は、番組表を上下左右の各々の方向へスクロールするボタンしか備えられておらず、日付を切り替える方法については何ら記載されていないため、上記の第１の方法しか適用することができないと考えられる。また上記特表平６−５０４１６５号に開示された技術によれば図中のリモートコントローラ上に曜日設定キー（テンキーと兼用）が備えられているが、この場合も日付を切り替える方法については何ら記載されていない。
【０００６】
【発明が解決しようとする課題】
しかしながら、上記従来の電子番組ガイド表示装置の構成では以下のような問題が生ずる。
上述した番組表の日付を切り替えるために、第１の方法として番組表を順次スクロールさせていくか、あるいは、第２の方法としてリモートコントローラ上などに日付切り替えボタンなどを別途備えることが考えられるが、どちらの方法も操作が煩わしく実用的なものではない。
本発明は、かかる問題点を解消するためになされたものであり、簡単な操作で番組表の日付を切り替えることのできる電子番組ガイド表示装置を提供することを目的とする。
【０００７】
【課題を解決するための手段】
この課題を解決するために、本発明の請求項１に記載の電子番組ガイド表示装置は、放送予定の番組に関し、該番組を表す文字列と番組情報を表す文字列とを表示する番組セルからなる番組表を作成し、該番組表を表示する電子番組ガイド表示装置であって、上記番組セルの大きさ及び描画位置を算出するセル位置算出部と、該セル位置算出部によって求められる番組セルの大きさ及び描画位置より番組表を描画する番組表示部と、前記番組表に関する日付を表す文字列を表示し、現在、表示された番組表の日付を他の日付とは異ならせて日付セルを描画する日付セル描画部と、上記番組セルを指定するカーソルを移動させる入力を行う入力キー群と、該入力キー群で選択されたカーソルを決定する入力を行う決定キーと、上記入力キー群からの入力に従って、番組表上におけるカーソル位置を変更するカーソル処理部と、番組表上におけるカーソルで指定された番組セルをカレントセルと判定するカレントセル判定部とを備え、前記カレントセル判定部の信号にしたがって、カレントを示す上記番組セルの描画位置を前記セル位置検出部で算出し、前記セル位置検出部からの信号にしたがって、カレントを示す上記番組セルを他の番組セルとは異ならせて前記番組表示部で表示することを特徴とするものである。
【０００８】
また、本発明の請求項２に記載の電子番組ガイド表示装置は、請求項１記載の電子番組ガイド表示装置において、上記番組表データ選択部は、カレントセルが日付セル上に存在するときに、上記決定キーの入力があったならば、上記番組表データ格納部から上記決定キーの入力があった日付セルに対応する番組情報を取り出し、上記番組表描画部は、上記番組表データ選択部より新たに取り出した番組情報に基づいて番組表を再描画することを特徴とするものである。
【０００９】
また、本発明の請求項３に記載の電子番組ガイド表示装置は、請求項１記載の電子番組ガイド表示装置において、上記入力キー群は、上、下、左、右の各々の方向へカーソル移動を行う４個のキーを含むことを特徴とするものである。
【００１０】
また、本発明の請求項４に記載の電子番組ガイド表示装置は、請求項１記載の電子番組ガイド表示装置において、上記番組セルは、番組を放送する放送局を示すチャンネル番号の順番に表示を行い、上記日付セルは、上記チャンネル番号のうちチャンネル番号が最も小さい番組に対応する番組セルに隣接して表示を行う、あるいは上記チャンネル番号のうちチャンネル番号が最も大きい番組に対応する番組セルに隣接して表示を行うことを特徴とするものである。
【００１１】
また、本発明の請求項５に記載の電子番組ガイド表示装置は、請求項１記載の電子番組ガイド表示装置において、上記番組セルは、番組を放送する放送時刻の順番に表示を行い、上記日付セルは、上記放送時刻のうち最も早い時刻に放送される番組に対応する番組セルに隣接して表示を行う、あるいは上記放送時刻のうち最も遅い時刻に放送される番組に対応する番組セルに隣接して表示を行うことを特徴とするものである。
また、本発明の請求項６に記載の電子番組ガイド表示装置は、請求項１記載の電子情報番組ガイド表示装置において、該番組情報及び該番組情報とは対になる日付データを格納する番組表データ格納部と、上記日付データに対応する番組セルが上記番組表データ格納部に存在するか否かを確認するデータ確認部と、前記データ確認部の出力に従って、日付データが存在しない場合、他の日付番組セルとは異ならせて前記番組表示部で表示することを特徴とするものである。
【００１２】
【発明の実施の形態】
以下、本発明の実施の形態について説明する。
実施の形態１．
図１は本発明の実施の形態１による電子番組ガイド表示装置の構成を示すブロック図である。
図１において、１０１はテレビジョン番組の放送スケジュール情報を記述した番組表の番組表データを格納する番組表データ格納部である。ここで番組表データとは、日付データと、各放送局の番組タイトルの文字列及び番組の補足情報の文字列を含む番組データとからなる。１０２はディスプレイ１０６に番組表を表示させるために番組表データ格納部１０１から番組表データを取り出し、さらに、番組表データ中の日付データを日付セル描画部１１１に出力する番組表データ選択部である。１０４は番組表を構成する各番組セルの大きさ及び描画位置を求めるセル位置算出部である。１０５はセル位置算出部１０４で求められた各番組セルの描画位置に従って各番組セルを描画して番組表を形成する番組表描画部である。１０６は番組表描画部１０５で描画された番組表を可視情報として出力するディスプレイである。１０７は番組表に表示すべき番組データの日付を設定し、設定した日付を番組表データ選択部１０２に出力する日付設定部である。１１０は視聴者からの入力を得るリモートコントローラ（入力キー群）である。１０９はリモートコントローラ１１０からの入力に従って番組表上のカーソル位置を変更するカーソル処理部である。１０８はカーソル処理部１０９によって指示されたカーソルの存在するセル（以下カレントセルと呼ぶ）を判定するカレントセル判定部である。１０３はディスプレイ１０６に表示する日付データが番組表データ格納部１０１に存在するか否かを判定するデータ確認部である。１１１はディスプレイ１０６に番組表と合わせて日付セルを描画する日付セル描画部である。
【００１３】
図８は本発明の実施の形態１による電子番組ガイド表示装置に入力指示を与えるリモートコントローラの概観図である。
図８において、８０１は筐体である。８０２は電源スイッチであり、テレビジョン受信機の電源のＯＮ／ＯＦＦを制御する。８０３はテレビジョン受信機の音量を大きくする音量大ボタン、８０４はテレビジョン受信機の音量を小さくする音量小ボタンであり、これらはテレビジョン受信機の音量を調整する。８０５はチャンネルを選択するために、表示中のチャンネル番号が大きくなる方向に設定するチャンネル選択上行ボタン、８０６はチャンネルを選択するために、表示中のチャンネル番号が小さくなる方向に設定するチャンネル選択下行ボタンである。８０７はテレビジョン受信機のディスプレイ１０６上に番組映像を表示するか、あるいは番組表を表示するかの表示切り替えを制御する番組表ボタンである。８０８は番組表上のカーソルを上へ移動させる上方向カーソル移動ボタン、８０９は番組表上のカーソルを左へ移動させる左方向カーソル移動ボタン、８１０は番組表上のカーソルを右へ移動させる右方向カーソル移動ボタン、８１１は番組表上のカーソルを下へ移動させる下方向カーソル移動ボタンである。８１２は符号８０８〜８１１のカーソル移動ボタンで選択されたカーソルを決定する決定ボタンである。
【００１４】
次に本実施の形態１による電子番組ガイド表示装置の動作について説明する。本実施の形態１による電子番組ガイド表示装置では、ディスプレイ１０６に番組データと合わせて日付データを表示し、ディスプレイ１０６上で日付を設定するようにしている。
【００１５】
図２は本発明の実施の形態１による電子番組ガイド表示装置の動作を説明するためのフローチャートである。
まず、リモートコントローラ１１０の番組表ボタン８０７をＯＮ（つまり、番組表を表示する）にしたと判断すると（ステップＳ２０１）、番組表データ選択部１０２において番組表データ格納部１０１から番組表データを取り出す（ステップＳ２０２）。ここでカーソル処理部１０９はカーソルの座標位置を左上（１，１）に初期化してカレントセル判定部１０８に送出し、カレントセル判定部１０８では、最もチャンネル番号の小さい放送局で、設定された時刻を示す番組の番組セルをカレントセルと判定する。
【００１６】
ステップＳ２０３では、セル位置算出部１０４において各番組の番組セルの大きさ及び描画位置を算出する。そして、その算出した値に基づいて、番組データの文字列を番組表描画部１０５で描画し、ディスプレイ１０６に表示する（ステップＳ２０４）。この時の表示例を図３に示す。
【００１７】
続いて、番組表中のカレントセルが最もチャンネル番号の大きい番組セルに設定されているか否かを判定し（ステップＳ２０５）、ステップＳ２０５において、カレントセルは最もチャンネル番号の大きい番組セルに設定されていると判断したならば、さらにリモートコントローラ１１０のチャンネル選択上行ボタン８０５を押したか否かの判定を行う（ステップＳ２０６）。ステップＳ２０６において、チャンネル選択上行ボタン８０５を押したと判断したならば、日付セル描画部１１１で、番組表データ選択部１０２から出力された日付データを日付セル上に描画し（ステップＳ２０７）、ディスプレイ１０６に表示する（ステップＳ２０８）。一方、ステップＳ２０５でカレントセルは最もチャンネル番号の大きい番組ではないと判断したならば作業は終了する。また、ステップＳ２０６でチャンネル選択上行ボタン８０５を押していないと判断したならば作業は終了する。
【００１８】
次に、上述した動作により作成された番組表の表示例を図４に示す。ここで、現在の時刻を１９９９年７月３１日２１時とし、番組表は現在の時刻以降を表示するように設定したものとする。また、このとき番組表データ格納部１０１には、２，３，４，６，８，１０，１２チャンネルの番組データが格納されているものとする。
【００１９】
図４において、４１８はチャンネル軸、４１７は時刻軸である。また、４０１〜４０８は番組表描画部１０５で描画された番組セル、４０９は日付を表示する日付軸、４１０〜４１６は日付セル描画部１１１で描画された日付セルである。図４より、日付セル４１０（７月３１日（水））はカレントセルに指定されており、カレントセルであることを示すために太線で表示している。また、日付セル４１２はセルの背景色が他の日付セルと異なっているが、これはディスプレイ１０６に表示中の番組表が８月２日（金）の番組データであることを示している。また、日付セル４１５（８月５日（月））、及び日付セル４１６（８月６日（火））は、他の日付セルと異なった文字サイズで描画されているが、これは対応する日付の番組表データが番組表データ格納部１０１に存在していないことを意味している。つまり、データ確認部１０３は、番組表上に表示される日付データに対応する番組データが番組表データ格納部１０１に存在するか否かを検索した結果を日付セル描画部１１１に出力し、日付セル描画部１１１はデータ確認部１０３より得られた検索結果に従って、日付セル上の文字サイズを変更して描画することとしている。
【００２０】
次に上記表示例に基づいて日付データを表示する動作を図３と図４を用いて説明する。
まず、番組セル４０７（「歌舞伎劇場」）上にカレントセルが存在する状態（図３）において、さらに下方向カーソル移動ボタン８１１を押すと、番組セル４０７は最も大きなチャンネル番号であるので、それ以上番組セルを表示することなく、続いて日付セル４１０〜４１６を表示する（図４）。このとき、カレントセルは日付セル４１０（７月３１日（水））に移動する。そして、カーソル移動ボタンを右方向に移動させて、任意に日付を設定することができる。ただし、カーソルが日付セル４１０に位置するときにはカーソルを左方向に移動させることはできないように設定されており、同様にカーソルは下方向に移動させることができないようにしている。あるいはカーソルを下方向に移動させたときに、最も小さなチャンネル番号をもつ放送局（図４には表示していていないが２チャンネルが該当）の２１時からの番組の番組セルにスクロールさせるようにしてもよい。またカーソルを上方向に移動させた場合は、日付セルの表示をやめて番組セルのみの表示を行い、カレントセルは番組セル４０７を示すようにする（図３）。
【００２１】
次に、上述した図４に示す日付データ表示例に対して別の表示例を図５に示す。
図５より、最も大きなチャンネル番号をもつ番組セルがカレントセルとして存在するときに、さらに下方向カーソル移動ボタン８１１を押すと、日付セル５０１〜５０７は、チャンネル軸方向と平行になるように並べて表示される。このとき、カレントセルは日付セル５０１（７月３１日（水））に移動する。そして、カーソル移動ボタンを下方向に移動させて、任意に日付を設定することができる。ただし、カーソルが日付セル５０１に位置するときにはカーソルを上方向に移動させることはできないように設定されており、同様にカーソルを右方向に移動させることができないようにしている。あるいはカーソルを右方向に移動させたときに、最も小さなチャンネル番号をもつ放送局の番組の番組セルにスクロールさせるようにしてもよい。またカーソルを左方向に移動させた場合は、日付セルの表示をやめて番組セルのみの表示を行うようにする。
【００２２】
このように、本実施の形態１による電子番組ガイド表示装置によれば、ディスプレイに表示される番組表は番組セルのみならず、日付を表示する日付セルも合わせて表示することとしたので、日付の選択を容易に行うことができる。また、番組表に日付セルを表示するにはカレントセルを最初のあるいは最後のチャンネル番号の番組セルまでスクロールさせて、さらに同一方向へスクロールさせることにより日付セルを表示させるものとしたので、簡便な操作で日付セルの表示、非表示の切り替えを行うことができる。また、日付を切り替えるために、リモートコントローラ上に日付切り替えボタンなどを別途備える必要がない。
【００２３】
なお、ディスプレイ１０６に表示する番組表は全てのチャンネル数を表示するものではなく、図６に示すように１チャンネル分だけを表示するようにしてもよい。このように１チャンネル分だけを表示することにより、小さなサイズのディスプレイ、あるいは表示可能な文字のサイズが小さい表示装置であっても、視認性を損なうことなく番組表を表示することができる。また、ディスプレイ１０６には、番組表のみを表示するだけでなく、図６に示すように放送番組の表示画面６０１も合わせて表示し、さらに番組表中の番組セルをオーバレイ表示させてもよい（符号６０３）。図６に示すように放送番組と番組表とを合わせて表示する構成を行うならば、カレントセル６０３は下辺をディスプレイ１０６の下辺と一致させ、カレントセル６０３のサイズに応じて時刻軸６０２を上下に移動させて描画するようにする。このようにすれば、番組表によって放送番組の表示画面６０１が見えにくい場合、時刻軸６０２を上下に移動させて、見えにくい部分を絶えず最小にすることができる。
【００２４】
また、図６においてカレントセル６０３をチャンネル番号が大きくなる方向へスクロールさせて、さらに日付セル上に達したときの表示例を図７に示す。図７において、７０１は放送番組の表示画面、７０２は日付軸、７０３〜７０９は日付セルである。このように図７において、番組セルの表示から、図７に示すように日付セルの表示に切り替わると、カレントセルは一番早い日付を示す日付セル７０３に移動する。
【００２５】
また、番組表はディスプレイ１０６の下端と一致させて表示するだけでなく、ディスプレイ１０６の上端と一致させて表示するようにしても構わない。さらに、図６では、横軸に時刻、縦軸にチャンネル番号を表示するようにしたが、横軸にチャンネル番号、縦軸に時刻を表示するようにしても構わない。
【００２６】
また、上記実施の形態１で示した電子番組ガイド表示装置は、図示していないが時計により現在の年月日及び時刻を得て、番組表の表示を現在の年月日及び時刻以降に限定させたり、あるいは利用者に放送局（チャンネル番号）を入力させて、番組表の表示を現在の年月日及び時刻以降で、かつ入力した放送局に限定させて表示することも可能である。また、カーソルの制御にあたって上記実施の形態では上方向カーソル移動ボタン８０８、左方向カーソル移動ボタン８０９、右方向カーソル移動ボタン８１０、下方向カーソル移動ボタン８１１を備えたリモートコントローラ１１０を使用したが、トラックボールなどの座標入力デバイスを用いても同様に実現することが可能である。また、カレントセルとその他のセルを区別して表示する方法は上述した輪郭線の太さによって区別する方法に限定されることはなく、輪郭線の形態や色、セル内の文字の大きさや色、セルの色などによる区別などさまざまな表示方法が可能であり、視聴者にとってセルの種類を視覚的に区別できる方法であってもよい。
【００２７】
【発明の効果】
以上のように、本発明の請求項１にかかる電子番組ガイド表示装置によれば、放送予定の番組に関し、該番組を表す文字列と番組情報を表す文字列とを表示する番組セルからなる番組表を作成し、該番組表を表示する電子番組ガイド表示装置であって、上記番組セルの大きさ及び描画位置を算出するセル位置算出部と、該セル位置算出部によって求められる番組セルの大きさ及び描画位置より番組表を描画する番組表示部と、前記番組表に関する日付を表す文字列を表示し、現在、表示された番組表の日付を他の日付とは異ならせて日付セルを描画する日付セル描画部と、上記番組セルを指定するカーソルを移動させる入力を行う入力キー群と、該入力キー群で選択されたカーソルを決定する入力を行う決定キーと、上記入力キー群からの入力に従って、番組表上におけるカーソル位置を変更するカーソル処理部と、番組表上におけるカーソルで指定された番組セルをカレントセルと判定するカレントセル判定部とを備え、前記カレントセル判定部の信号にしたがって、カレントを示す上記番組セルの描画位置を前記セル位置検出部で算出し、前記セル位置検出部からの信号にしたがって、カレントを示す上記番組セルを他の番組セルとは異ならせて前記番組表示部で表示するものとしたので、番組表の日付セルを切り替えるためには、リモートコントローラ上に日付切り替えボタンなどを別途設ける必要がなく、簡便な操作で日付セルの表示、非表示の切り替えを行うことができる。
【００２８】
また、本発明の請求項２にかかる電子番組ガイド表示装置によれば、請求項１記載の電子番組ガイド表示装置において、上記番組表データ選択部は、カレントセルが日付セル上に存在するときに、上記決定キーの入力があったならば、上記番組表データ格納部から上記決定キーの入力があった日付セルに対応する番組情報を取り出し、上記番組表描画部は、上記番組表データ選択部より新たに取り出した番組情報に基づいて番組表を再描画するものとしたので、番組表の日付セルを切り替えるためには、リモートコントローラ上に日付切り替えボタンなどを別途設ける必要がなく、簡便な操作で日付セルの表示、非表示の切り替えを行うことができる。
【００２９】
また、本発明の請求項３にかかる電子番組ガイド表示装置によれば、請求項１記載の電子番組ガイド表示装置において、上記入力キー群は、上、下、左、右の各々の方向へカーソル移動を行う４個のキーを含むものとしたので、簡単な操作で番組表上の番組セルの選択を行うことができる。
【００３０】
また、本発明の請求項４にかかる電子番組ガイド表示装置によれば、請求項１記載の電子番組ガイド表示装置において、上記番組セルは、番組を放送する放送局を示すチャンネル番号の順番に表示を行い、上記日付セルは、上記チャンネル番号のうちチャンネル番号が最も小さい番組に対応する番組セルに隣接して表示を行う、あるいは上記チャンネル番号のうちチャンネル番号が最も大きい番組に対応する番組セルに隣接して表示を行うものとしたので、番組表の視認性を損なうことなく、日付セルを表示することができる。
【００３１】
また、本発明の請求項５にかかる電子番組ガイド表示装置によれば、請求項１記載の電子番組ガイド表示装置において、上記番組セルは、番組を放送する放送時刻の順番に表示を行い、上記日付セルは、上記放送時刻のうち最も早い時刻に放送される番組に対応する番組セルに隣接して表示を行う、あるいは上記放送時刻のうち最も遅い時刻に放送される番組に対応する番組セルに隣接して表示を行うものとしたので、番組表の視認性を損なうことなく、日付セルを表示することができる。
また、本発明の請求項６にかかる電子番組ガイド表示装置によれば、請求項１記載の電子情報番組ガイド表示装置において、該番組情報及び該番組情報とは対になる日付データを格納する番組表データ格納部と、上記日付データに対応する番組セルが上記番組表データ格納部に存在するか否かを確認するデータ確認部と、前記データ確認部の出力に従って、日付データが存在しない場合、他の日付番組セルとは異ならせて前記番組表示部で表示するものとしたので、簡便な操作で日付セルの表示、非表示の切り替えを行うことができる。
【図面の簡単な説明】
【図１】本発明の実施の形態１による電子番組ガイド表示装置の構成を示すブロック図
【図２】上記実施の形態による電子番組ガイド表示装置の動作を説明するためのフローチャート
【図３】上記実施の形態による番組表の表示例を示す図
【図４】上記実施の形態による日付セルを時刻軸方向と平行に表示した例を示す図
【図５】上記実施の形態による日付セルをチャンネル軸方向と平行に表示した例を示す図
【図６】上記実施の形態による放送番組の表示画面と合わせて番組表を表示した例を示す図
【図７】上記実施の形態による放送番組の表示画面と合わせて日付セルを表示した例を示す図
【図８】上記実施の形態によるリモートコントローラの概観図
【図９】従来の電子番組ガイドの表示例を示す図
【符号の説明】
１０１    番組表データ格納部
１０２    番組表データ選択部
１０３    データ確認部
１０４    セル位置算出部
１０５    番組表描画部
１０６    ディスプレイ
１０７    日付設定部
１０８    カレントセル判定部
１０９    カーソル処理部
１１０    リモートコントローラ
１１１    日付セル描画部
４０１〜４０８，６０３，６０４    番組セル
４０９，７０２    日付軸
４１０〜４１６，５０１〜５０７，７０３〜７０９    日付セル
４１７，６０２    時刻軸
４１８    チャンネル軸
６０１，７０１    放送番組の表示画面
８０１    リモートコントローラの筐体
８０２    電源スイッチ
８０３    音量大ボタン
８０４    音量小ボタン
８０５    チャンネル選択上行ボタン
８０６    チャンネル選択下行ボタン
８０７    番組表ボタン
８０８    上方向カーソル移動ボタン
８０９    左方向カーソル移動ボタン
８１０    右方向カーソル移動ボタン
８１１    下方向カーソル移動ボタン
８１２    決定ボタン
【図１】
0003603003.tif 000002
【図２】
0003603003.tif 000003
【図３】
0003603003.tif 000004
【図４】
0003603003.tif 000005
【図５】
0003603003.tif 000006
【図６】
0003603003.tif 000007
【図７】
0003603003.tif 000008
【図８】
0003603003.tif 000009
【図９】
0003603003.tif 000010